(57)【要約】【課題】扉体の吊元側において手や指を挟み込む事故を防止できると共に、設置作業が容易な扉ユニット、扉構造体、および扉体を提供する。【解決手段】扉構造体１は、開口部分８１が形成された壁８と、壁の開口部分８１の吊元側となる部分に取り付けられた扉ユニット２とを備える。扉ユニット２は、工場等で予め組み立てられたものである。扉ユニット２は、扉体２１と扉支持体２２を有する。扉体２１は、吊元となる側の端部に、板厚を実質的半径とし、全高にわたる１／４周の幅の部分円柱面である吊元側端面部２１１が設けられている。扉支持体２２は、取付基部２２１と、取付基部２２１の同じ面に所要間隔を空けて平行に設けられた掩蔽部２２３および扉取付部２２５と、掩蔽部２２３と扉取付部２２５の間に形成された凹溝２２７と、扉支持体２２と扉体２１を回動可能に連結する部材である蝶番２３と、を有している。【選択図】図１
2018040135.tif 000002
【特許請求の範囲】
【請求項１】
取り付け対象部に取り付け可能であり、凸条である掩蔽部と、該掩蔽部との間に凹溝が形成されるように同掩蔽部と所要間隔を空けて平行に設けられた凸条である扉取付部とを有する扉支持体と、
吊元となる側の端部に、板厚を実質的半径とし、全高にわたる１／４周の幅を有する部分円柱面または部分多角柱面である吊元側端面部が設けられ、吊元となる側の端部が、前記吊元側端面部の実質的半径分と同等の深さまで凹溝内に入れられ、回動中心が前記掩蔽部に対向した前記扉取付部の先端縁に沿うように配置された連結部材を介して、前記吊元側端面部が、前記扉取付部に対向した前記掩蔽部の先端縁から凹溝内に出入りする方向へ回動可能に取り付けられた扉体とを備える
扉ユニット。
【請求項２】
前記連結部材が、芯棒を回動中心とする蝶番であり、一方の羽根が前記扉体に取り付けられると共に、他方の羽根が前記凹溝内における前記扉取付部側の内面に取り付けられている
請求項１に記載の扉ユニット。
【請求項３】
開口部分が形成された壁と、
前記壁の開口部分の吊元となる側に取り付け可能であり、凸条である掩蔽部と、該掩蔽部との間に凹溝が形成されるように同掩蔽部と所要間隔を空けて平行に設けられた凸条である扉取付部とを含む扉支持体と、吊元となる側の端部に、板厚を実質的半径とし、全高にわたる１／４周の幅を含んだ部分円柱面または部分多角柱面である吊元側端面部が設けられ、吊元となる側の端部が、前記吊元側端面部の実質的半径分と同等の深さまで凹溝内に入れられ、回動中心が前記掩蔽部に対向した前記扉取付部の先端縁に沿うように配置された連結部材を介して、前記吊元側端面部が、前記扉取付部に対向した前記掩蔽部の先端縁から凹溝内に出入りする方向へ回動可能に取り付けられた扉体とを有する扉ユニットとを備える
扉構造体。
【請求項４】
吊元となる側の端部に、板厚を実質的半径とし、少なくとも、全高にわたる１／４周の幅を有する部分円柱面または部分多角柱面である吊元側端面部が設けられている
扉体。
【発明の詳細な説明】
【技術分野】
【０００１】
本発明は、扉ユニット、扉構造体、および扉体に関する。更に詳しくは、扉体の吊元側において手や指を挟み込む事故を防止できると共に、設置作業が容易なものに関する。
【背景技術】
【０００２】
従来から、扉を開けた際に吊元側（扉体の蝶番等が取り付けられた側）に生じる隙間へ手や指を挟む事故が起きており、このような事故を防止すべく、例えば、下記の特許文献１に示されているようなドアのエッジ装置が提案されている。このようなエッジ装置を備えたドアの構成を図５に示している。
【０００３】
図５に示すドア９は、片開きのドア本体９０の吊元側の側端部に装着するカバー材９１と、吊元側の壁パネルの側端部に装着するエッジ材９２とを組み合わせ、カバー材９１には、ドア９０の回転中心を中心とする凸円弧状の外周面９１１を設け、エッジ材９２には、カバー材９１との間に一定の湾曲隙間を形成する凹円弧状の対向面９２１を設けることにより、指挟みを防止し、端正な体裁を容易に実現しようとするものである。
【先行技術文献】
【特許文献】
【０００４】
【特許文献１】特開２０１０−１６３８３３号公報
【発明の概要】
【発明が解決しようとする課題】
【０００５】
ところで、特許文献１に記載されたドア９は、その開閉構造上、吊元側に設けられた中心吊グレビティヒンジを用いて戸枠に取り付けられるが、中心吊グレビティヒンジは通常の蝶番等に比べて高価であるために工費が高くなる。また、ドアの回転軸が揃うようにピボットヒンジの上下位置を調整する作業は、習熟を要する作業であり、一定以上の習熟度または能力を有する建具職人などの作業従事者を確保する必要があるが、いわゆる腕の良い職人は年々減る傾向にある。このような理由から、エッジ装置を備えたドア９は、一般住宅用として採用されにくかった。
【０００６】
本発明は、以上の点を鑑みて創案されたものであり、扉体の吊元側において手や指を挟み込む事故を防止できると共に、設置作業が容易な扉ユニット、扉構造体、および扉体を提供することを目的とするものである。
【課題を解決するための手段】
【０００７】
上記の目的を達成するために本発明の扉ユニットは、取り付け対象部に取り付け可能であり、凸条である掩蔽部と、該掩蔽部との間に凹溝が形成されるように同掩蔽部と所要間隔を空けて平行に設けられた凸条である扉取付部とを有する扉支持体と、吊元となる側の端部に、板厚を実質的半径とし、全高にわたる１／４周の幅を有する部分円柱面または部分多角柱面である吊元側端面部が設けられ、吊元となる側の端部が、前記吊元側端面部の実質的半径分と同等の深さまで凹溝内に入れられ、回動中心が前記掩蔽部に対向した前記扉取付部の先端縁に沿うように配置された連結部材を介して、前記吊元側端面部が、前記扉取付部に対向した前記掩蔽部の先端縁から凹溝内に出入りする方向へ回動可能に取り付けられた扉体とを備える。
【０００８】
ここで、扉支持体は、凹溝が形成されていることによって、扉体の吊元となる側の端部を、吊元側端面部の実質的半径分と同等の深さまで入れることができる。また、扉支持体は、掩蔽部を有することにより、取り付けられた扉体が開いた際に生じる隙間を掩蔽することができる。
【０００９】
扉支持体は、扉取付部を有することにより、連結部材を回動中心が扉取付部の先端縁に沿うように取り付けることができ、同位置に回動中心が配置されることで、扉の回動域が確保される一方、扉体が回動して扉取付部の先部側に当たると、扉体の回動を止めることができる。
【００１０】
扉体は、吊元側端面部が、板厚を実質的半径とし、全高にわたる１／４周の幅を有する部分円柱面または部分多角柱面であることによって、前述の扉支持体と組み合わせた状態で扉体を開け、扉取付部の先部側に当たって回動が止まったときに、掩蔽部と吊元側端面部の先端部分との間に隙間が生じないようにすることができる。また、前述の吊元側端面部が部分円柱面または部分多角柱面であることによって、掩蔽部の先端縁に実質的に沿うように回動することができる。
【００１１】
ここで、「実質的半径」とは、部分円柱面である場合の半径のほか、部分多角柱面である場合の側面角部から柱中心軸までの距離を含む意味であり、以下同じ意味で使用している。
【００１２】
このように、本発明の扉ユニットは、前述の扉支持体と扉体が協働することによって、扉体の吊元側において扉支持体と扉体との間に手や指が挟まるような隙間が生じることがなく、手や指を挟み込む事故を防止できる
【００１３】
加えて、本発明の扉ユニットは、工場等で予め組み立てられていることによって、現場で連結部材を壁の開口部分と扉に取り付ける作業を行う必要が無く、扉支持体を壁の開口部分に取り付ける作業のみで済む。そして、取り付けられた扉ユニットは、工場等で予め組み立てられていることによって、所定の組立精度が安定的に確保されている。つまり、本発明の扉ユニットによれば、本来であればある程度の熟練を要する扉の取り付け作業を、作業者の能力に影響されることなく行うことができる。
【００１４】
また、前記連結部材が、芯棒を回動中心とする蝶番であり、一方の羽根が前記扉体に取り付けられると共に、他方の羽根が凹溝内における前記扉取付部の側面に取り付けられている場合は、中心吊グレビティヒンジに比べて一般的に安価な蝶番を利用することで、材料費の抑制が期待できる。また、蝶番は、中心吊グレビティヒンジ等に比べて取り付け作業が容易であるので、工場等における組立作業の従事者の習熟度または能力に関わらず安定した作業進捗が期待できる。
【００１５】
上記の目的を達成するために本発明の扉構造体は、開口部分が形成された壁と、前記壁の開口部分の吊元となる側に取り付け可能であり、凸条である掩蔽部と、該掩蔽部との間に凹溝が形成されるように同掩蔽部と所要間隔を空けて平行に設けられた凸条である扉取付部とを含む扉支持体と、吊元となる側の端部に、板厚を実質的半径とし、全高にわたる１／４周の幅を含んだ部分円柱面または部分多角柱面である吊元側端面部が設けられ、吊元となる側の端部が、前記吊元側端面部の実質的半径分と同等の深さまで凹溝内に入れられ、回動中心が前記掩蔽部に対向した前記扉取付部の先端縁に沿うように配置された連結部材を介して、前記吊元側端面部が、前記扉取付部に対向した前記掩蔽部の先端縁から凹溝内に出入りする方向へ回動可能に取り付けられた扉体とを有する扉ユニットとを備える。
【００１６】
ここで、壁は、一の空間と他の空間を仕切っており、そして、開口部分が形成されていることによって、前述の各空間の出入りが可能となると共に、扉ユニットの取付対象箇所となる。なお、この開口部分には戸枠を設けてもよく、この場合、戸枠は、壁に形成された開口部分に沿ってスペースを確保すると共に、枠内に取り付けられた扉ユニットが円滑に回動できるようなスペースも確保することができる。
【００１７】
扉支持体は、凹溝が形成されていることによって、扉体の吊元となる側の端部を、吊元側端面部の実質的半径分と同等の深さまで入れることができる。また、扉支持体は、掩蔽部を有することにより、取り付けられた扉体が開いた際に生じる隙間を掩蔽することができる。更に、扉支持体は、扉取付部を有することにより、連結部材を回動中心が扉取付部の先端縁に沿うように取り付けることができ、同位置に回動中心が配置されることで、扉の回動域が確保される一方、扉体が回動して扉取付部の先部側に当たると、扉体の回動を止めることができる。
【００１８】
扉体は、吊元側端面部が、板厚を実質的半径とし、全高にわたる１／４周の幅を有する部分円柱面または部分多角柱面であることによって、前述の扉支持体と組み合わせた状態で扉体を開け、扉取付部の先部側に当たって回動が止まったときに、掩蔽部と吊元側端面部の先端部分との間に隙間が生じないようにすることができる。また、前述の吊元側端面部が部分円柱面または部分多角柱面であることによって、掩蔽部の先端縁に実質的に沿うように回動することができる。
【００１９】
このように、本発明の扉構造体は、前述の扉支持体と扉体が協働することによって、扉体の吊元側において扉支持体と扉体との間に手や指が挟まるような隙間が生じることがなく、手や指を挟み込む事故を防止できる。
【００２０】
加えて、本発明の扉構造体は、例えば、扉ユニットが工場等で予め組み立てられているものである場合は、現場で連結部材を壁の開口部分と扉へ取り付ける作業を行う必要が無く、扉支持体を壁の開口部分に取り付ける作業のみで済む。そして、取り付けられた扉ユニットは、工場等で予め組み立てられていることによって、所定の組立精度が安定的に確保されている。つまり、本発明の扉構造体によれば、本来であればある程度の熟練を要する扉の取り付け作業を、作業者の能力に影響されることなく行うことができる。なお、本発明の扉構造体においては、分離した状態の扉支持体と扉取付部を、作業現場で組み立てる態様を除外するものではない。
【００２１】
上記の目的を達成するために本発明の扉体は、吊元となる側の端部に、板厚を実質的半径とし、少なくとも、全高にわたる１／４周の幅を有する部分円柱面または部分多角柱面である吊元側端面部が設けられている。
【００２２】
ここで、扉体は、前述の吊元側端面部が設けられていることによって、例えば、凹溝が設けられた扉支持体に、吊元側となる側の端縁部分を吊元側端面部の実質的半径分と同等の深さまで入れて取り付けた際に、扉体を開けたときに扉支持体と扉体との間に隙間を生じないので、扉体の吊元側に手や指が挟まるような事故を防止することができる。
【００２３】
また、前述の吊元側端面部が部分円柱面または部分多角柱面であることによって、例えば、前述の構造の扉支持体に取り付けた際に、掩蔽部となる側の凹溝側の外縁に実質的に沿うように回動することができる。
【００２４】
このように、本発明の扉体は、前述の扉支持体と組み合わせることによって、扉体の吊元側において扉支持体と扉体との間に手指が挟まるような隙間を生じることがなく、手や指を挟み込む事故を防止できる。
【発明の効果】
【００２５】
本発明の扉ユニットによれば、扉体の吊元側において手や指を挟み込む事故を防止できると共に、設置作業が容易である。
また、本発明の扉構造体によれば、扉体の吊元側において手や指を挟み込む事故を防止できると共に、設置作業が容易である。
更に、本発明の扉体によれば、扉体の吊元側において手や指を挟み込む事故を防止できると共に、設置作業が容易である。
【図面の簡単な説明】
【００２６】
【図１】本発明の扉ユニットを壁の開口部に取り付けてなる扉構造体の横断面を示す斜視説明図である。
【図２】図１に示す扉ユニットの開閉状態を示しており、（ａ）は扉体が閉じた状態を示す横断面説明図であり、（ｂ）は扉体が開いた状態を示す横断面説明図である。
【図３】本発明の扉ユニットを壁に取り付ける態様を示しており、（ａ）は壁の開口部分に形成された溝部に扉支持体を嵌め入れる態様を示した横断面説明図であり、（ｂ）は戸枠を一部に含んで扉支持体を構成した態様を示した横断面説明図である。
【図４】本発明の扉ユニットと扉体の変形例を示しており、（ａ）は扉体の吊元側端面部が部分多角柱面である態様を示す横断面説明図であり、（ｂ）は扉体の吊元側端面部が１／４周の幅を超えた態様を示す横断面説明図である。
【図５】特許文献１記載のドアのエッジ装置を示した説明図である。
【発明を実施するための形態】
【００２７】
図１ないし図４を参照して、本発明の実施の形態を更に詳細に説明する。なお、各図における符号は、煩雑さを軽減し理解を容易にする範囲内で付している。
【００２８】
〔第１実施形態〕
＜扉構造体＞
図１および図２を参照して、第１実施形態に係る扉構造体１について説明する。図１に示す扉構造体１は、開口部分８１が形成された壁８と、壁の開口部分８１の吊元側となる部分に取り付けられた扉ユニット２とを備える。なお、本実施形態における扉ユニット２は、工場等で予め組み立てられたものである。
【００２９】
＜扉ユニット＞
扉ユニット２は、扉体２１と扉支持体２２を有する。本実施の形態において、扉体２１は、図１において正面となる側を扉正面２１２とし、図１において背面となる側を扉背面２１３として、以下説明する。
【００３０】
（扉体２１）
扉体２１は、板厚が３６ｍｍのフラッシュ構造により形成されたものであり、吊元となる側の端部に、板厚を実質的半径とし、全高にわたる１／４周の幅の部分円柱面である吊元側端面部２１１が設けられている。本実施形態において、吊元側端面部２１１は、扉正面２１２と同じ側の面に設けてあり、扉正面２１２側から扉背面２１３側に向かって湾曲している。なお、扉背面２１３は、一般的な扉と同様、吊元側端面部２１１側の先端に至るまで平坦面により構成されており、扉正面２１２は、吊元側端面部２１１を除き、平坦面により構成されている。
【００３１】
また、吊元側端面部２１１を設けるにあたっては、例えば、扉体２１の全高と略同じ長さであり、横断面視における外形が四分円形状であって半径が扉体２１の板厚と略同じ長さである棒体を、吊元となる側の端面に一方の平面部を取り付けて形成する方法、扉体の吊元側となる側の端面を研磨あるいは切削して部分円柱面を形成する方法、または、前述の棒体と略同じ全高および幅に形成された曲面板を、吊元側となる側の斜めにカット等された端面に取り付ける方法等が挙げられる。
【００３２】
（扉支持体２２）
扉支持体２２は、取付基部２２１と、取付基部２２１の同じ面に所要間隔を空けて平行に設けられた掩蔽部２２３および扉取付部２２５と、掩蔽部２２３と扉取付部２２５の間に形成された凹溝２２７と、扉支持体２２と扉体２１を回動可能に連結する部材である蝶番２３と、を有している。
【００３３】
取付基部２２１は、扉体２１の全高と略同じ高さの板体である。取付基部２２１の掩蔽部２２３等が設けられた面と反対側の面は、取付面２２２であり、取付基部２２１は、取付面２２２を壁の開口部分８１の高さ方向部分に当接させて取り付けてある。
【００３４】
取付基部２２１に設けられた掩蔽部２２３および扉取付部２２５は、取付基部２２１から突出した長尺かつ横断面視で矩形の突出片（換言すると「凸条」）であり、突出幅が同じであると共に、各々の先部面が取付基部２２１の板幅方向と平行となっている。
【００３５】
凹溝２２７は、高さ方向にわたる直線状の角溝である。扉体２１は、その吊元側が凹溝２２７に収まって（入って）おり、その収まり深さは、吊元側端面部２１１の実質的半径分と同等の深さ（３３ｍｍ）である。
【００３６】
蝶番２３は、一般的な平蝶番であり、一方の羽根（符号省略）が扉体２１の扉背面２１３に取り付けられ、他方の羽根（符号省略）が凹溝２２７内における扉取付部２２５側の内面に取り付けられている。蝶番２３は、扉体２１の回動軸中心である芯棒２３１が扉取付部２２５先部の凹溝２２７側の外縁に沿うように配置されており、これにより、扉体２１は、吊元側端面部２１１が掩蔽部２２３の凹溝２２７側外縁から凹溝２７に対し出入りする方向へ回動可能となる。
【００３７】
なお、壁の開口部分８１において、取付基部２２１が取り付けられた側と反対側には、ラッチ側縦枠８２が取り付けられており、ラッチ側縦枠８２には戸当たり部８２１が設けてある。
【００３８】
本実施形態では、扉体は、フラッシュ構造により形成されたもの（内部にハニカムコアを備えたものを含む）であるが、これに限定するものではなく、例えば、自然木の無垢一枚もの、合板、ＭＤＦ（Medium Density Fiberboard：中密度繊維板）、パーティクルボード、インシュレーションボード、ダンボール等あるいはこれらを組み合わせたもの、合成樹脂材や金属材等の単一層板、または、木質材と合成樹脂材、金属材等を組み合わせた複層構造のもの等であってもよい。
【００３９】
本実施形態では、掩蔽部と扉取付部の突出幅が同じに設定されているが、これに限定するものではなく、例えば、掩蔽部の方が扉取付部よりも１ｍｍ〜１２ｍｍ程度長く突出していてもよく、この場合、扉体の吊元側となる側の端縁部分と掩蔽部との間に隙間がより生じにくくなる。
【００４０】
本実施形態では、扉支持体は、例えば、取付基部に掩蔽部と扉取付部を取り付けて形成する態様であってもよいし、所要厚みの長尺の板体に、高さ方向にわたる凹溝を形成し、同凹溝の両側を掩蔽部と扉取付部とする態様であってもよい。
【００４１】
（作  用）
図１に示すように、壁８は、一の空間と他の空間を仕切っている。そして、壁８には開口部分８１が形成されており、この開口部分８１に扉ユニット２を取り付ける。
【００４２】
扉ユニット２は、工場等で予め組み立てられているものであるため、扉支持体２２１を壁の開口部分８１に取り付ける作業のみで設置作業が済む。つまり、扉ユニット２を使用することにより、現場で蝶番を壁の開口部分と扉へ取り付ける作業を行う必要が無く、加えて、所定の組立精度が確保されているので、作業者の能力に影響されることなく、扉の設置作業を行うことができる。
【００４３】
壁の開口部分８１に取り付けられた扉ユニット２は、前述の構造であるため、扉体２１を開けたときに、扉支持体２２と扉体２１との間に手指が挟まるような隙間が生じない（図２（ｂ）参照）ので、扉体２１の吊元側に手や指が挟まるような事故を防止することができる。
【００４４】
また、吊元側端面部２１１が部分円柱面であることによって、吊元側端面部２１１は、凹溝２２７側の外縁との間に生じている微小な隙間を維持しながら、外縁に沿うように回動する。なお、吊元側端面部２１１と凹溝２２７側の外縁との間に隙間を設けず、擦れ合う構造としてもよい。更に、吊元側端面部２１１は、その表面が、扉正面２１２および扉背面２１３と一体に連続しているので、見た目もよい。
【００４５】
扉ユニット２は前述の構造であるため、閉じた位置（図２（ａ）参照）を０°として、全開にした位置（略９０°、図２（ｂ）参照）まで扉体２１を開くと、扉背面２１３の一部が扉取付部２２５の先部側に当たって扉体２１の回動が停止する。つまり、扉体２１は、吊元側端面部２１１の幅（１／４周の幅の部分円柱面）を超えて回動することがないので、掩蔽部２２３と吊元側端面部２１１の先端部分との間に手指が挟まるような隙間が生じない。
【００４６】
蝶番２３は、例えば、特許文献１のドアに採用されているような中心吊グレビティヒンジに比べて一般的に安価なものであるので、材料費の低減化が期待でき、ひいては工費の抑制も期待できる。また、蝶番２３は、中心吊グレビティヒンジに比べて取り付け作業が容易であることによって、工場等における組立作業の従事者の習熟度または能力に関わらず安定した作業進捗が期待できる。
【００４７】
また、凹溝２２７の内部領域が前述の形状であるので、扉体２１を閉めた際に、吊元側となる側の端縁部分のうちの吊元側端面部２１１ではない側の面（扉背面２１３において、吊元側端面部２１１の反対側となる部分）が扉取付部２２５側の凹溝２２７の内面に当たり、それ以上扉体２１が回動しないように止めることができる（図２（ａ）参照）。
【００４８】
このように、扉構造体１の施工にあたって扉ユニット２を用いることにより、扉体２１の吊元側において手や指を挟み込む事故を防止できる。そして、扉ユニット２は、所定の組立精度が安定的に確保されているので、設置作業が容易であり、施工期間の短縮も可能となる。
【００４９】
〔変形例１〕
図３（ａ）は、扉ユニット２を取り付ける態様の変形例を示している。変形例１では、壁８の開口部分８１のうち高さ方向となる部分に嵌め込み溝８３が形成され、この嵌め込み溝８３に扉支持体２２を収める。これにより、掩蔽部２２３と扉取付部２２５が壁の中に収められて外から見えなくなり、見た目の良い扉構造体にすることができる。
【００５０】
〔変形例２〕
図３（ｂ）も、扉ユニット２を取り付ける態様の変形例を示している。変形例２では、壁８の開口部分８１の上下左右または上左右に取り付けられる一般的な戸枠８４の内側高さ方向の部分に、掩蔽部２２３と扉取付部２２５を直接取り付け、掩蔽部２２３と扉取付部２２５の間に、扉体２１の吊元側を前述の深さ入れることができる凹溝２２７が形成されるようにした態様である。
【００５１】
〔変形例３〕
図４（ａ）に示す扉体２１ａは、扉体２１の変形例である。扉体２１ａは、吊元側端面部２１１ａが、板厚を実質的半径とし、全高にわたる１／４周の幅を含んだ部分多角柱面である態様である。ここで、多角柱は正多角柱であり、八角以上で六十四角以下であることが好ましい。八角未満であると、１／４周の幅を含んだ部分多角柱面である吊元側端面部は、扉支持体と組み合わせた状態で扉体を開けたときに、扉支持体と扉体との間に隙間が生じることによる事故を防止することができず、掩蔽部の凹溝側の外縁に沿って回動にくくなる。他方、六十四角を超えると、最早円柱と大差無く、加工の手間が掛かるだけで、六十四角を採用する実質的な意味が無いためである。
【００５２】
〔変形例４〕
扉ユニット２ｂは、扉ユニット２の変形例であり、扉体２１ｂの吊元側端面部２１１ｂが、板厚を実質的半径とし、全高にわたる１／３周の幅を含んだ部分円柱面であって、扉ユニット２ｂにおける扉体２１ｂの回動角度が１２０°である態様である。
【００５３】
なお、扉ユニット２や２ｂにおいて、扉体２１、２１ｂを開いた際に、扉体２１、２１ｂの吊元側の先端と扉支持体の掩蔽部２２３との間に隙間が生じないようにするためには、吊元側端面部２１１、２１１ｂの幅は、扉ユニット２、２ｂのそれぞれにおける扉体２１、２１ｂの回動角度と対応するように設けることを要する。例えば、第１実施形態では、扉ユニット２における扉体２１の回動角度が９０°であるため、吊元側端面部２１１の幅は少なくとも１／４周の幅の部分円柱面を含んだ態様にする必要があるが、これに限定するものではなく、変形例２に示すように、扉ユニット２ｂにおける扉体２１ｂの回動角度が１２０°である場合は、吊元側端面部の幅がそれ以上（少なくとも１／３周）の幅を含んだ部分円柱面である必要がある。
【００５４】
本実施の形態においては、扉ユニットは壁に取り付ける態様で説明したが、例えば、クローゼット等の家具の扉として採用することもできる。クローゼットの場合は、一般的に手前に開ける観音開き等の構造であり、扉と扉の取付部の間に服が挟まったりしやすいが、本発明の扉ユニットを採用することで、このようなトラブルが発生しないようにすることができる。
【００５５】
本明細書および本特許請求の範囲で使用している用語と表現は、あくまでも説明上のものであって、なんら限定的なものではなく、本明細書および本特許請求の範囲に記述された特徴およびその一部と等価の用語や表現を除外する意図はない。また、本発明の技術思想の範囲内で、種々の変形態様が可能であるということは言うまでもない。
【符号の説明】
【００５６】
１    扉構造体
２、２ｂ    扉ユニット
２１、２１ａ、２１ｂ    扉体
２１１、２１１ａ、２１１ｂ    吊元側端面部
２１２    扉正面
２１３    扉背面
２２    扉支持体
２２１    取付基部
２２２    取付面
２２３    掩蔽部
２２５    扉取付部
２２７    凹溝
２３    蝶番
２３１    芯棒
８    壁
８１    開口部分
８２    ラッチ側縦枠
８２１    戸当たり部
８３    嵌め込み溝
８４    戸枠
９    ドア
９０    ドア本体
９１    カバー材
９２    エッジ材
９１１    外周面
９２１    対向面
【図１】
2018040135.tif 000003
【図２】
2018040135.tif 000004
【図３】
2018040135.tif 000005
【図４】
2018040135.tif 000006
【図５】
2018040135.tif 000007